(57)【要約】【課題】  データ放送の視聴の際に表示するページを、視聴者の視聴属性等の視聴情報を考慮しつつも、放送局からも制御することができるデータ放送の表示の技術を提供すること。【解決手段】  受信側２では、視聴者の選局により、データ放送のコンテンツデータ１０を受信し、受信したコンテンツデータ１０のプログラム１３に基づいて、ページが遷移される度にそのページのページ識別情報１２が記憶部２１に記憶される。そして、他局選局後の再選局や、一時的な受信不能状態からの再受信時等で、再度コンテンツデータ１０を受信した場合、受信したコンテンツデータ１０の中から、記憶部２１に最後に記憶されているページ識別情報１２に対応するページの表示データに基づいて、そのページ表示する。【選択図】  図１
2006287796.tif 000002
【特許請求の範囲】
【請求項１】
データ放送の表示システムであって、
視聴者の視聴情報を記録する記憶手段と、
前記記憶手段に記憶されている視聴情報に基づいて所定のページに遷移させるプログラムを含むコンテンツを送出する手段と、
前記コンテンツを受信し、前記コンテンツのプログラムにより、前記記憶手段に記憶されている視聴情報を読出し、この視聴情報に基づいて所定のページに遷移させる手段と
を有することを特徴とするデータ放送の表示システム。
【請求項２】
データ放送の表示システムであって、
コンテンツの各ページの表示データと、前記ページを識別するページ識別情報とが関連付けられたコンテンツデータを、データ放送を用いて送信する手段と、
選局したデータ放送のコンテンツデータを受信し、受信したデータ放送のコンテンツのうち最後に表示したページのページ識別情報を記憶する記憶手段と、
再選局の際に受信したデータ放送のコンテンツデータのうち、最後に記憶されたページ識別情報に対応する表示データを読出し、この表示データのページを表示する手段と
を有することを特徴とするデータ放送の表示システム。
【請求項３】
データ放送の表示システムであって、
コンテンツの各ページの表示データと、再受信の際に最初に遷移するページを識別する遷移情報とが関連付けられたコンテンツデータを、データ放送を用いて送信する手段と、
選局したデータ放送のコンテンツデータを受信し、受信したデータ放送のコンテンツのうち最後に表示したページの遷移情報を記憶する記憶手段と、
再選局の際に受信したデータ放送のコンテンツデータのうち、最後に記憶されたページの遷移情報に対応する表示データを読出し、この表示データのページを表示する手段と
を有することを特徴とするデータ放送の表示システム。
【請求項４】
データ放送の表示システムであって、
コンテンツの各ページの表示データと、前記ページを識別する情報であり、かつ再受信の際に最初に遷移するページを識別する遷移情報を含むページ識別情報とが関連付けられたコンテンツデータを、データ放送を用いて送信する手段と、
選局したデータ放送のコンテンツデータを受信し、受信したデータ放送のコンテンツのうち最後に表示したページのページ識別情報を記憶する記憶手段と、
再選局の際に受信したデータ放送のコンテンツデータのうち、最後に記憶されたページ識別情報の遷移情報に対応する表示データを読出し、この表示データのページを表示する手段と
を有することを特徴とするデータ放送の表示システム。
【請求項５】
ページ識別情報を複数の桁数から構成し、全ての桁数の数値により各ページを識別し、前記複数の桁数のうち所定の桁数により遷移するページを識別することを特徴とする請求項４に記載のデータ放送の表示システム。
【請求項６】
データ放送の表示システムであって、
コンテンツの各ページの表示データと、前記ページを識別する情報であり、かつ再受信の際に最初に遷移するページを識別する遷移情報を含むページ識別情報と、受信したデータ放送のコンテンツのうち最後に表示したページのページ識別情報を記憶し、再選局の際に最後に記憶されたページ識別情報を読出し、このページ識別情報の遷移情報に対応するページの表示データを取得し、前記ページを表示させるプログラムとを、データ放送を用いて送出する手段を有する放送局と、
前記データ放送のコンテンツデータを受信する受信手段と、受信したコンテンツデータが記憶される記憶手段と、前記コンテンツデータのプログラムに制御され、受信したデータ放送のコンテンツのうち最後に表示したページのページ識別情報を前記記憶手段に記憶し、再選局の際に最後に記憶されたページ識別情報の遷移情報に対応するページの表示データを取得し、前記ページを表示する手段とを有する受信機とを有することを特徴とするデータ放送の表示システム。
【請求項７】
ページ識別情報を複数の桁数から構成し、全ての桁数の数値により各ページを識別し、前記複数の桁数のうち所定の桁数により遷移するページを識別することを特徴とする請求項６に記載のデータ放送の表示システム。
【請求項８】
前記受信機の記憶手段がＮＶＲＡＭであることを特徴とする請求項６又は請求項７に記載のデータ放送の表示システム。
【請求項９】
データ放送の受信機の制御プログラムであって、
前記制御プログラムは前記受信機を、
視聴者の視聴情報を受信機の記憶手段に記憶する手段と、
前記記憶手段に記憶されている視聴情報を読出し、この視聴情報に基づいて所定のページに遷移させる手段と
を有することを特徴とするデータ放送の受信機の制御プログラム。
【請求項１０】
データ放送の受信機の制御プログラムであって、
前記制御プログラムは前記受信機を、
コンテンツの各ページの表示データと前記ページを識別するページ識別情報とが関連付けられたコンテンツデータのうち、最後に表示したコンテンツのページのページ識別情報を、受信機の記憶手段に記憶する手段と、
再選局の際に受信したデータ放送のコンテンツデータのうち、記憶されている最後に表示されたページ識別情報に対応するページの表示データを取得し、この表示データのページを表示する手段と
して機能させることを特徴とするデータ放送の受信機の制御プログラム。
【請求項１１】
データ放送の受信機の制御プログラムであって、
前記制御プログラムは前記受信機を、
コンテンツの各ページの表示データと、再受信の際に最初に遷移するページを識別する遷移情報とを関連付けられたコンテンツデータのうち、最後に表示したコンテンツのページの遷移情報を、受信機の記憶手段に記憶する手段と、
再選局の際に受信したデータ放送のコンテンツデータのうち、最後に記憶されたページの遷移情報に対応する表示データを取得し、この表示データのページを表示する手段と
して機能させることを特徴とするデータ放送の受信機の制御プログラム。
【請求項１２】
データ放送の受信機の制御プログラムであって、
前記制御プログラムは前記受信機を、
コンテンツの各ページの表示データと、前記ページを識別する情報であり、かつ再受信の際に最初に遷移するページを識別する遷移情報を含むページ識別情報とが関連付けられたコンテンツデータのうち、最後に表示したコンテンツのページのページ識別情報を記憶する手段と、
最後に記憶されたページ識別情報の遷移情報に対応する表示データを取得し、この表示データのページを表示する手段と
して機能させることを特徴とするデータ放送の受信機の制御プログラム。
【請求項１３】
ページ識別情報を複数の桁数から構成し、全ての桁数の数値により各ページを識別し、前記複数の桁数のうち所定の桁数により遷移するページを識別することを特徴とする請求項１２に記載のデータ放送の受信機の制御プログラム。
【請求項１４】
前記制御プログラムは、データ放送で最初に送出されるコンテンツと共に送出されることを特徴とする請求項９から請求項１３のいずれかに記載のデータ放送の受信機の制御プログラム。
【発明の詳細な説明】
【技術分野】
【０００１】
本発明はデータ放送の表示システム及びその制御プログラムに関し、特に視聴者の視聴属性や、視聴したページの識別情報等を記憶しておき、これらの情報に基づいて、データ放送の再受信の際に視聴者の属性、視聴情報を反映したコンテンツを表示するデータ放送の表示システム、及びその制御プログラムに関する。
【背景技術】
【０００２】
近年、地上デジタル放送が開始され、それに伴いデータ放送も開始された。このデータ放送は、ＢＭＬ文書やＪＰＥＧ、ＰＮＧ、バイナリテーブルなどのリソースを、データカルーセル伝送方式によって伝送する。データカルーセル伝送方式は、複数のファイルをＭＰＥＧ−２のセクションに分割して繰り返し送出する伝送方式であり、ＤＳＭ−ＣＣ規格に準拠している。
【０００３】
データ放送では、放送波を利用してインタラクティブコンテンツの再生を可能とするために、視聴者が任意のタイミングで操作を行っても必要なデータが取得できるよう、コンテンツを構成するファイル群はデータカルーセルにより繰り返し送出される。視聴者のリモコン操作などで画面の切替え指示が発生すると、受信機は必要なデータを取得して画面に表示する。
【０００４】
ところで、各視聴者には好みコンテンツがある。例えば、ある視聴者はデータ放送の天気のコンテンツを良く視聴し、また、別の視聴者はニュースのコンテンツを良く視聴するといった具合である。このような希望のコンテンツを視聴した後は、他のチャンネルに切り替えたり、電源を断したりする場合が多いと思われる。また、再選局の際には、それらのコンテンツを最初に視聴するケースが多い。
【０００５】
そこで、テレビ放送の文字番組において、文字放送番組を呼び出した場合に、その呼び出した文字放送番組のデータを、受信機のデータ記憶用メモリに記憶しておき、再度、同じ文字放送番組が呼び出された場合には、データ記憶メモリに記憶してあるデータを読み出して表示する技術が提案されている（例えば、特許文献１）。
【０００６】
【特許文献１】特開平１０−３２２６７２号公報
【発明の開示】
【発明が解決しようとする課題】
【０００７】
しかしながら、上述した従来技術は再表示する際に番組を表示するまでの待ち時間を短縮することを目的とした技術である為、受信機に記憶されているデータは一度受信した過去のデータであり、この過去のデータが現在も放送されているとは限らず、日々刻々とかわるコンテンツには対応できなかった。
【０００８】
また、再選局の際に視聴者が希望するコンテンツを最初に表示させることは、視聴者にとって好ましいことではあるが、放送局側で最初に表示させるコンテンツを制御する必要もある。例えば、災害情報のような緊急情報を放送する場合、この緊急情報を視聴者が希望するコンテンツに優先して表示させたい場合である。
【０００９】
そこで、本発明は上記課題に鑑みて発明されたものであって、その目的はデータ放送の視聴の際に表示するページを、視聴者の視聴属性等の視聴情報を考慮しつつも、放送局からも制御することができるデータ放送の表示システム及びその制御プログラムを提供することにある。
【課題を解決するための手段】
【００１０】
上記課題を解決する第１の発明は、データ放送の表示システムであって、視聴者の視聴情報を記録する記憶手段と、前記記憶手段に記憶されている視聴情報に基づいて所定のページに遷移させるプログラムを含むコンテンツを送出する手段と、前記コンテンツを受信し、前記コンテンツのプログラムにより、前記記憶手段に記憶されている視聴情報を読出し、この視聴情報に基づいて所定のページに遷移させる手段とを有することを特徴とする。
【００１１】
上記課題を解決する第２の発明は、データ放送の表示システムであって、コンテンツの各ページの表示データと、前記ページを識別するページ識別情報とが関連付けられたコンテンツデータを、データ放送を用いて送信する手段と、選局したデータ放送のコンテンツデータを受信し、受信したデータ放送のコンテンツのうち最後に表示したページのページ識別情報を記憶する記憶手段と、再選局の際に受信したデータ放送のコンテンツデータのうち、最後に記憶されたページ識別情報に対応する表示データを読出し、この表示データのページを表示する手段とを有することを特徴とする。
【００１２】
上記課題を解決する第３の発明は、データ放送の表示システムであって、コンテンツの各ページの表示データと、再受信の際に最初に遷移するページを識別する遷移情報とが関連付けられたコンテンツデータを、データ放送を用いて送信する手段と、選局したデータ放送のコンテンツデータを受信し、受信したデータ放送のコンテンツのうち最後に表示したページの遷移情報を記憶する記憶手段と、再選局の際に受信したデータ放送のコンテンツデータのうち、最後に記憶されたページの遷移情報に対応する表示データを読出し、この表示データのページを表示する手段とを有することを特徴とする。
【００１３】
上記課題を解決する第４の発明は、データ放送の表示システムであって、コンテンツの各ページの表示データと、前記ページを識別する情報であり、かつ再受信の際に最初に遷移するページを識別する遷移情報を含むページ識別情報とが関連付けられたコンテンツデータを、データ放送を用いて送信する手段と、選局したデータ放送のコンテンツデータを受信し、受信したデータ放送のコンテンツのうち最後に表示したページのページ識別情報を記憶する記憶手段と、再選局の際に受信したデータ放送のコンテンツデータのうち、最後に記憶されたページ識別情報の遷移情報に対応する表示データを読出し、この表示データのページを表示する手段とを有することを特徴とする。
【００１４】
上記課題を解決する第５の発明は、上記第４の発明において、ページ識別情報を複数の桁数から構成し、全ての桁数の数値により各ページを識別し、前記複数の桁数のうち所定の桁数により遷移するページを識別することを特徴とする。
【００１５】
上記課題を解決する第６の発明は、データ放送の表示システムであって、コンテンツの各ページの表示データと、前記ページを識別する情報であり、かつ再受信の際に最初に遷移するページを識別する遷移情報を含むページ識別情報と、受信したデータ放送のコンテンツのうち最後に表示したページのページ識別情報を記憶し、再選局の際に最後に記憶されたページ識別情報を読出し、このページ識別情報の遷移情報に対応するページの表示データを取得し、前記ページを表示させるプログラムとを、データ放送を用いて送出する手段を有する放送局と、前記データ放送のコンテンツデータを受信する受信手段と、受信したコンテンツデータが記憶される記憶手段と、前記コンテンツデータのプログラムに制御され、受信したデータ放送のコンテンツのうち最後に表示したページのページ識別情報を前記記憶手段に記憶し、再選局の際に最後に記憶されたページ識別情報の遷移情報に対応するページの表示データを取得し、前記ページを表示する手段とを有する受信機とを有することを特徴とする。
【００１６】
上記課題を解決する第７の発明は、上記第６の発明において、ページ識別情報を複数の桁数から構成し、全ての桁数の数値により各ページを識別し、前記複数の桁数のうち所定の桁数により遷移するページを識別することを特徴とする。
【００１７】
上記課題を解決する第８の発明は、上記第６又は第７の発明において、前記受信機の記憶手段がＮＶＲＡＭであることを特徴とする。
【００１８】
上記課題を解決する第９の発明は、データ放送の受信機の制御プログラムであって、前記制御プログラムは前記受信機を、視聴者の視聴情報を受信機の記憶手段に記憶する手段と、前記記憶手段に記憶されている視聴情報を読出し、この視聴情報に基づいて所定のページに遷移させる手段とを有することを特徴とする。
【００１９】
上記課題を解決する第１０の発明は、データ放送の受信機の制御プログラムであって、前記制御プログラムは前記受信機を、コンテンツの各ページの表示データと前記ページを識別するページ識別情報とが関連付けられたコンテンツデータのうち、最後に表示したコンテンツのページのページ識別情報を、受信機の記憶手段に記憶する手段と、再選局の際に受信したデータ放送のコンテンツデータのうち、記憶されている最後に表示されたページ識別情報に対応するページの表示データを取得し、この表示データのページを表示する手段として機能させることを特徴とする。
【００２０】
上記課題を解決する第１１の発明は、データ放送の受信機の制御プログラムであって、前記制御プログラムは前記受信機を、コンテンツの各ページの表示データと、再受信の際に最初に遷移するページを識別する遷移情報とを関連付けられたコンテンツデータのうち、最後に表示したコンテンツのページの遷移情報を、受信機の記憶手段に記憶する手段と、再選局の際に受信したデータ放送のコンテンツデータのうち、最後に記憶されたページの遷移情報に対応する表示データを取得し、この表示データのページを表示する手段として機能させることを特徴とする。
【００２１】
上記課題を解決する第１２の発明は、データ放送の受信機の制御プログラムであって、前記制御プログラムは前記受信機を、コンテンツの各ページの表示データと、前記ページを識別する情報であり、かつ再受信の際に最初に遷移するページを識別する遷移情報を含むページ識別情報とが関連付けられたコンテンツデータのうち、最後に表示したコンテンツのページのページ識別情報を記憶する手段と、最後に記憶されたページ識別情報の遷移情報に対応する表示データを取得し、この表示データのページを表示する手段として機能させることを特徴とする。
【００２２】
上記課題を解決する第１３の発明は、上記第１２の発明において、ページ識別情報を複数の桁数から構成し、全ての桁数の数値により各ページを識別し、前記複数の桁数のうち所定の桁数により遷移するページを識別することを特徴とする。
【００２３】
上記課題を解決する第１４の発明は、上記第９から第１３の発明のいずれかにおいて、前記制御プログラムは、データ放送で最初に送出されるコンテンツと共に送出されることを特徴とする。
【発明の効果】
【００２４】
本発明によれば、データ放送の視聴の際に表示するページを、視聴者の視聴属性等の視聴情報を考慮しつつも、放送局からも制御することができる。
【発明を実施するための最良の形態】
【００２５】
本発明の実施の形態を説明する。
【００２６】
本発明は、データ放送のコンテンツデータに視聴者の視聴情報を受信機で記憶させるプログラムを含めて放送する。このプログラムは、データ放送のコンテンツの最初にコンテンツと共に送信され、受信機側で動作すると、最後に記憶された視聴情報を読出し、この視聴情報に対応したページのデータを取得し、このページを表示するように動作するプログラムと、表示されたページの視聴情報を記憶するプログラムとから成る。
【００２７】
具体的には、図１に示す如く、放送局１からデータ放送を用いて、コンテンツデータ１０を送出する。このコンテンツデータ１０は、ページの表示データ１１と、ページ識別情報１２と、ページ識別情報１２を記憶するプログラム１３、データ放送のコンテンツの最初にコンテンツと共に送信され、最後に記憶された視聴情報に対応したページのデータを取得し、このページを表示するするプログラム１４とを含む。
【００２８】
表示データ１１は、コンテンツの各ページの表示データであり、この表示データ１１には純粋な画像のみならず、文字や記号等のテキストデータや、これを表示する為のプログラムも含まれる。ページ識別情報１２は、各ページを識別する識別情報であり、視聴者の視聴情報としての役割を果たす。
【００２９】
プログラム１３は、受信側で、ユーザがコンテンツの中から希望のページを選択して表示（遷移）する度に、そのページのページ識別情報１２を順次、記憶部２１に記憶するよう動作させるプログラムである。
また、プログラム１４は、再視聴の際に、最後に記憶したページ識別情報１２に対応したページの表示データをデータ放送から取得し、その表示データのページを表示するよう動作させるプログラムである。
【００３０】
受信側２では、ユーザの選局により、データ放送のコンテンツデータ１０を受信し、受信したコンテンツデータ１０のプログラム１３に基づいて、ページが遷移される度にそのページのページ識別情報１２が記憶部２１に記憶される。そして、他局選局後の再選局や、一時的な受信不能状態からの再受信時等で、再度コンテンツデータ１０を受信した場合、データ放送のコンテンツデータ１０の最初にコンテンツと共に送信されるプログラム１４に基づいて、記憶部２１に最後に記憶されているページ識別情報１２に対応するページの表示データに基づいて、そのページ表示する。例えば、最後に視聴したページがニュースのページであるならば、最初にニュースのページを表示するのである。
【００３１】
このように本発明は最後に視聴したページのデータを記憶するのではなく、最後に視聴したページの識別情報（視聴情報）を記憶する為、ブックマークのように視聴者の動的な処理に頼らず、視聴者が希望するコンテンツを特定でき、そのコンテンツのページを最初に表示することができる。
【００３２】
尚、コンテンツの中には随時情報が変更されるページがあり、最後にページを表示してから再視聴までの間に情報が更新されている可能性がある。この場合には、再視聴の再に取得したコンテンツデータ１０の中に、最後に記憶したページ識別情報に対応する表示データがない場合も考えられる。また、災害情報のような緊急情報を放送するような場合、この緊急情報を視聴者が希望するコンテンツに優先して表示させたい場合もある。
【００３３】
そこで、ページ識別情報を工夫し、ページを識別する情報とともに、再視聴の際に遷移させたいページを識別する遷移情報を含ませる。このようにすれば、再視聴の際に遷移情報に基づいて、放送局側が希望するページに遷移させることも可能となる。
【００３４】
更に、災害情報のような緊急情報の場合は、全て緊急情報を表示するページに遷移させるように、プログラム１４を変更するようにしても良い。
【００３５】
以下、具体的な実施例を下記に説明する。
【実施例１】
【００３６】
本発明の実施例１を説明する。
【００３７】
図２は、実施例１におけるデータ放送の表示システムの一構成を示す図である。この表示システムは、図２に示す如く、データ放送を放送する放送局１００と、データ放送を受信する受信機２００とからなる。
【００３８】
放送局１００は、データ放送で放送するコンテンツのコンテンツデータ５０が格納されている記憶部１１１と、この記憶部１１１に格納されているコンテンツデータ５０を送信するデータ放送部１１２と、データ放送部１１２から送出されるデータと、本線側の番組・音声とを多重化して放送する多重化部１１３とを有する。
【００３９】
記憶部１１１に格納されているコンテンツデータ５０は、コンテンツの各ページの表示データ５１と、そのページを識別するページ識別情報５２とを含む。また、コンテンツデータ５０には、あるページに遷移した場合、そのページのページ識別情報を受信機の記憶部に記憶するプログラム５３と、記憶されているページ識別情報５２に基づいて、最初に遷移するページの表示データ５１を取得し、この表示データ５１のページを表示するプログラム５４とを含む。
【００４０】
表示データ５１には、純粋な画像のみならず、文字や記号等のテキストデータや、これを表示する為のプログラムも含まれる。
【００４１】
ページ識別情報５２は、コンテンツの各ページを識別する情報為の２桁の数字から構成される識別情報であり、各ページの表示データと関連付けられている。
【００４２】
図３はページ識別情報５２を２桁で構成した場合の例を示しており、トップページを００で特定している。また、スポーツのカテゴリーを１０番台とし、スポーツのトップページに１０、野球のページに１１、サッカーのページに１２というようにページ識別情報を付している。同様に、ニュースのカテゴリーを２０番台とし、ニュースのトップページに２０、全国ニュースのページに２１、関西ニュースのページに２２というようにページ識別情報を付している。同様に、ドラマのカテゴリーを３０番台とし、ドラマのトップページに３０、更にドラマＡのページに３１、ドラマＢーのページに３２というようにページ識別情報を付している。尚、２桁目の数値が遷移情報を示しており、再視聴の際に下位１桁目が０に変換されて、２桁で特定されるページに遷移される。例えば、ページ識別情報５２が“２１”であるならば、再視聴の際に下位１桁目が０に変換されて、ページ識別情報５２が“２０”となり、ニュースのトップページに遷移することになる。
【００４３】
このようにして、各コンテンツの表示されるページについて、ページ識別情報５２を付与し、コンテンツデータ５０に含ませる。
【００４４】
プログラム５３は、データ放送のコンテンツのページの遷移の度に、そのページのページ識別情報５２を受信機の記憶部に記憶させるプログラムである。また、プログラム５４は、受信不能後の再受信や、他局選局後の再選局時に、受信機の記憶部に最後に記憶された２桁のページ識別情報５２を読出し、下１桁を０に置き換えた識別情報に対応するページのコンテンツを取得するように動作させるプログラムである。尚、プログラム５４は、２桁のページ識別情報以外のページ識別情報は、全てトップページに遷移するように動作する。このようなプログラムの一例を図４に示す。
【００４５】
受信機２００は、デジタル放送を受信し、本線側の映像・音声とデータ放送とを分離して受信するデジタル放送受信部２１１と、プログラムやデータ等が格納される記憶部２１２と、ページ識別情報が記憶される記憶部２１３と、プログラム５３、５４等に基づいてコンテンツの表示制御を行う表示制御部２１４と、表示制御部２１４により画像が表示される表示部２１５と、ユーザによるチャンネル選択やデータ放送の項目の選択等が行われる入力部２１６と、この入力部２１６の入力を受けて、入力を制御する入力制御部２１７とを有する。
【００４６】
デジタル放送受信部２１１は、ユーザの選択したチャンネルのデータ放送波を受信し、受信したコンテンツデータ５０を、記憶部２１２に格納する。尚、この記憶部２１２は、記憶されているデータが、他チャンネルへの選局や、電源の断により、消去される記憶手段である。
【００４７】
表示制御部２１４はプログラム５３により制御され、ページの表示遷移の度にページ識別情報を記憶部２１３に記憶する。また、表示制御部２１４はプログラム５４により制御され、受信不能後の再受信や、他局選局後の再選局時に、受信機の記憶部２１３に最後に記憶された２桁のページ識別情報５２を読出し、下１桁のみを０に置き換えた識別情報に対応するページの表示データを、記憶部２１２から読み出す、また、放送局に送信要求することにより取得し、その表示データのページを表示する。尚、記憶部２１３は、記憶されているデータが、他チャンネルへの選局や、電源の断により、消去されることなく保持される記憶手段であり、例えば、デジタル放送受信機のＮＶＲＡＭである。
【００４８】
入力部２１５は、例えば、リモコンや、受信機に設けられたボタン等であり、入力制御部２１６は入力部２１５の入力に基づいて、項目選択や選局の制御を行う。
【００４９】
次に、フローチャートを用いて、具体的な動作を説明する。図５は実施例１の動作を示すフローチャートである。
【００５０】
まず、視聴者は、本発明を実施している放送局１００のデータ放送を選局し（Ｓｔｅｐ  １００）、デジタル放送受信部２１１により、コンテンツデータ５０を受信する（Ｓｔｅｐ  １０１）。そして、受信したコンテンツデータ５０が記憶部２１２に格納され、プログラム５４の動作が開始される（Ｓｔｅｐ  １０２）。
【００５１】
続いて、記憶部２１２に格納されているコンテンツデータ５０のプログラム５４に従って動作する表示制御部２１４は、記憶部２１３に記憶されている２桁のページ識別情報を読出し（Ｓｔｅｐ  １０３）、下１桁を０に置き換えた識別情報に対応するページの表示データを取得する（Ｓｔｅｐ  １０４）。そして、この表示データのページが表示される（Ｓｔｅｐ  １０５）。
【００５２】
ページが遷移されると（Ｓｔｅｐ  １０６）、プログラム５３に従って動作する表示制御部２１４は、その表示されたページのページ識別情報を記憶部２１３（ＮＶＲＡＭ）に記録する（Ｓｔｅｐ  １０７）。
【００５３】
この動作を、他チャンネルへの変更、又は電源の断まで行う（Ｓｔｅｐ  １０８）。
【００５４】
上述の如く、本実施例では、選局の際に表示されるページを、視聴者の趣向を加味しつつも、放送局側で制御することができる。
【００５５】
尚、記憶部２１３に視聴していた時間等を記憶しておき、この視聴時間をページ識別情報の代わりに用いて、視聴時間に対応したページを取得するように構成することも可能である。
【図面の簡単な説明】
【００５６】
【図１】図１は本発明の実施の形態を説明する為の図である。
【図２】図２は実施例１におけるデータ放送の表示システムの一構成を示す図である。
【図３】図３はページ識別情報５２の例を示す図である。
【図４】図４は制御プログラムの一例を示す図である。
【図５】図５は実施例１の動作を示すフローチャートである。
【符号の説明】
【００５７】
１，１００      放送局
２，２００      受信機
１０，５０      コンテンツデータ
１１，５１      表示データ
１２，５２      ページ識別情報
１３，５３，５４      プログラム
１１１          記憶部
１１２          データ放送部
１１３          多重化部
２１１          デジタル放送受信部
２１２          記憶部
２１３          記憶部（ＮＶＲＡＭ）
２１４          表示制御部
２１５          表示部
２１６          入力部
２１７          入力制御部
【図１】
2006287796.tif 000003
【図２】
2006287796.tif 000004
【図３】
2006287796.tif 000005
【図４】
2006287796.tif 000006
【図５】
2006287796.tif 000007